(57)【要約】      （修正有）【課題】飼主がペットを抱えたまま、床に置かずペット用柵内にペットを置くことができるエレベータの乗りかご装置を提供する。【解決手段】かご室１と、かご室１内のかご床１ａを一部仕切るように設けられたペット用柵２と、ペット用柵２の上面を形成する開閉自在で内部を確認できる可動蓋３と、可動蓋３を閉めると可動蓋を閉ロックするロック機構と、ペット用柵２の下部に設けられ、ロック機構の閉ロックを解除するペダル装置８とを備えた。【選択図】図１
2007276913.tif 000002
【特許請求の範囲】
【請求項１】
かご室と、
前記かご室内のかご床を一部仕切るように設けられたペット用柵と、
前記ペット用柵の上面を形成する開閉自在な可動蓋と、
前記可動蓋を閉めると該可動蓋を閉ロックするロック機構と、
前記ペット用柵の下部に設けられ、前記ロック機構の閉ロックを解除するペダル装置と、
を備えたことを特徴とするエレベータの乗りかご装置。
【請求項２】
可動蓋を常時開方向に付勢するばねを備えたことを特徴とする請求項１記載のエレベータの乗りかご装置。
【請求項３】
可動蓋はペット用柵内部を確認できるよう網張りであることを特徴とする請求項１または請求項２記載のエレベータの乗りご装置。
【請求項４】
ペット用柵内を複数室に仕切り各室の広さを可変とする可動式仕切板を備えたことを特徴とする請求項１〜請求項３いずれかに記載のエレベータの乗りかご装置。
【請求項５】
ペット用柵はかご室の外部に向けられた換気ファンを有し、ペットが入るとセンサーで前記換気ファンが回り、前記ペット用柵内の空気が前記かご室の外部に排気されることを特徴とする請求項１〜請求項４いずれかに記載のエレベータの乗りかご装置。
【発明の詳細な説明】
【技術分野】
【０００１】
この発明は、ペット用柵を備えたエレベータの乗りかご装置に関する。
【背景技術】
【０００２】
従来のエレベータの乗りかご装置においては、飼い主がペットを抱えて乗せていた。しかしながらペット嫌いの乗客には非常に不快なものであった。また、抱えているペットが、いつ飛び出してくるか分らず、同乗している幼児、老人にとって非常に危険であった。
この問題を解決すべく、エレベータの乗りかごにペット用柵を備えるものが考案されている（例えば、特許文献１参照）。
【０００３】
【特許文献１】特開２００４−３３１２６１号公報
【発明の開示】
【発明が解決しようとする課題】
【０００４】
特許文献１のエレベータの乗りかご装置においては、ペット用柵にペットを入れる際、ペットを床に置き、柵の側部にある扉より入れなければならなかった。このため飼主はペットを入れるため屈んで扉を開けなければならず片手で操作できなかった。又ペット用柵に仕切りがないため、他のペットと乗り合ったとき喧嘩する煩れがあった。又、扉を閉めるとペットと飼主と目視遮断されるため、ペットは不安で飼主は心配であるといった問題があった。
【０００５】
この発明は、上述のような課題を解決するためになされたもので、飼主がペットを抱えたまま、床に置かずペット用柵内にペットを置くことができ、また他のペットと乗り合うことがあっても喧嘩する煩れのないエレベータの乗りかご装置を提供するものである。
【課題を解決するための手段】
【０００６】
この発明に係るエレベータ乗りかご装置においては、かご室と、かご室内のかご床を一部仕切るように設けられたペット用柵と、ペット用柵の上面を形成する開閉自在な可動蓋と、可動蓋を閉めると該可動蓋を閉ロックするロック機構と、ペット用柵の下部に設けられ、ロック機構の閉ロックを解除するペダル装置とを備えたものである。
【０００７】
またこの発明に係るエレベータ乗りかご装置においては、可動蓋を常時開方向に付勢するばねを備えたものである。
【０００８】
またこの発明に係るエレベータ乗りかご装置においては、可動蓋はペット用柵内部を確認できるよう網張りとしたものである。
【０００９】
またこの発明に係るエレベータ乗りかご装置においては、ペット用柵内を複数室に仕切り各室の広さを可変とする可動式仕切板を備えたものである。
【００１０】
またこの発明に係るエレベータ乗りかご装置においては、ペット用柵はかご室の外部に向けられた換気ファンを有し、ペットが入るとセンサーで換気ファンが回り、ペット用柵内の空気がかご室の外部に排気されるものである。
【発明の効果】
【００１１】
この発明により、飼主がペダルを足で押すことにより、ワンタッチでペット用柵上部にある扉を開閉することができる。また仕切板によって柵内を分離させることができる。さらには仕切板をペットの大きさによって位置を変えることができる。また柵内及びかご室内にペットの臭いが篭ることを防ぐとこができる。
【発明を実施するための最良の形態】
【００１２】
実施の形態１． 
図1はこの発明の実施の形態1におけるエレベータの乗りかご装置を示す斜視図、図２は実施の形態１におけるエレベータの乗りかご装置に設けられたペット用柵を示す斜視図、図３は実施の形態１におけるペット用柵を示す縦断面図、図４は実施の形態１におけるペット用柵の可動蓋のロック機構を示す要部断面図、図５は実施の形態１におけるペット用柵のペダル装置を示す要部断面図、図６は実施の形態１におけるペット用柵の仕切板可動機構を示す斜視図、図７は図６の縦断面図、図８は実施の形態１におけるペット用柵の仕切板可動機構の取手支柱を示す側面図、図９は実施の形態１におけるペット用柵の仕切板可動機構の位置固定用カム周辺を示す斜視図、図１０は実施の形態１におけるペット用柵の仕切板可動機構のガイド枠及びシューの係合状態を斜視図、図１１は実施の形態１におけるペット用柵の仕切板可動機構の要部を示す側面図である。
図において１はエレベータのかご、１ａはかご１のかご床、２はかご１のかご床１ａに設けられたペット用柵、２ａはペット用柵２に形成され、かご床１ａから立ち上げられた前後左右四面からなる柵で、後面がかご１の内壁と近接して対向している。ここでペット用柵２は中央が仕切られた左右二室からなる。
【００１３】
３はペット用柵２の左右二室の上面を形成する左右二枚の開閉自在な可動蓋、３ａはペット用柵２の内部を確認できるようにするため、左右二枚の可動蓋３に張られた網、４はペット用柵２の柵２ａ後面の上端２箇所に設けられ、且つ左右二枚の可動蓋３のそれぞれ後方部を支持した左右二個のヒンジで、該可動蓋３を前部が跳ね上がるように開閉させる。５は左右二枚の可動蓋３の柵２ａより後方に突出した後端を下方に付勢することで、該可動蓋３をそれぞれ常時開方向に付勢する左右二本のばね、６はペット用柵２の柵２ａ後面の左右二箇所に設けられ、左右２枚の可動蓋３の後端が開時おいて当接する左右二箇所のゴムストッパ、７は左右二枚の可動蓋３の前端、及び柵２ａ前面上端の左右二箇所をそれぞれ係合させ、左右二枚の可動蓋３を閉ロックさせる左右二箇所のロック機構、８はペット用柵２の柵２ａ前面下端の左右二箇所に設けられたペダル装置で、利用者が踏むことによりそれぞれ左右二枚の可動蓋３の閉ロックを解除できる。
ここで閉ロックが解除されると、可動蓋３はばね５のばね力で自動的に開く。またペダル装置８を離し、手で可動蓋３を押すことで、該可動蓋３は閉まり閉ロックされる構造になっている。
【００１４】
以下この発明の第一の特徴となる可動蓋３と該可動蓋３のロック機構７、及び閉ロック解除機構であるペダル装置８の詳細構成を説明する。なお、左右二箇所のロック機構７及びペダル装置８のいずれか片側をもって説明する。
まず図４を用いてロック機構７の説明をする。７ａは可動蓋３の前部下面に設けられた鍵型のキー、７ｂは柵２ａ前面の上端内側に設けられ、先端部に形成された返しがキー７ａと係合して可動蓋３の閉ロックをするロックレバー、７ｃは柵２ａ側に設けられてロックレバー７ｂの下部を枢持し、該ロックレバー７ｂの回転軸となるピン、７ｄはロックレバー７ｂの上下中間部と柵２ａとを連結する戻しばねで、ロックレバー７ｂを常に直立する閉ロック状態となる方向に付勢している。７ｅはロックレバー７ｂの上下中間部に奥側に突出したトリガーである。
ここでトリガー７ｅが下に引かれるとロックレバー７ｂはピン７ｃを軸に回転して奥側に倒れ、またキー１０ａから離れるので可動蓋６の閉ロックは解除される。またトリガー７ｅを下に引く力を離すとロックレバー７ｂは戻しばね７ｄの力により閉ロック状態に戻る。またロックレバー７ｂの上端部形状は頂点が上を向いた三角形状であるため、上述したように閉ロックを解除しなくても可動蓋３を開から閉にするだけで可動蓋３に閉ロックがかけられる。
【００１５】
次に図５を用いてペダル装置８の説明をする。８ａはかご床１ａに設けられたピン、８ｂは前端がピン８ａに枢持されて回動するペダル、８ｃはかご床１ａとペダル８ｂとの間に設けられたばねで、ペダル８ｂを所定角度に保持する。８ｄはかご床１ａに設けられたペダル８ｂのゴムストッパ、８ｅはペダル８ｂの中間部を貫通する貫通孔である。
【００１６】
次に図３を用いてロック機構７とペダル装置８との係合構成を説明する。９はロック機構７とペダル装置８を結ぶチューブ（軟質筒）、９ａはロック機構７のロックレバー７ｂのトリガー７ｅの下方にてチューブ９の上端を柵２ａ側に固定する第一チューブ抑え、９ｂはペダル装置８の貫通孔８ｅの上方にてチューブ９の下端を柵２ａ側に固定する第二チューブ抑え、１０はチューブ９内を通り、上端及び下端がロックレバー７ｂのトリガー７ｅ及びペダル８ａの貫通孔８ｆに設けられたワイヤーである。
これらの構成により使用者がペダル８ｂを踏むことによりワイヤー１０が引張られ、ロックレバー７ｂのトリガー７ｅが下に引かれる。これにより可動蓋３の閉ロックは解除される。またペダル８ｂを踏むのをやめるとばね８ｃのばね力によりペダル８ｂは元の位置に戻り、また戻しばね７ｄのばね力によりロックレバー７ｂも直立する元の位置に戻る。
【００１７】
１１はペット用柵２の上面の左右中間部、つまり左右二枚の可動蓋３の隙間を形成し、柵２ａ前後面の上端に固定された固定蓋、１２は固定蓋１１から垂下してペット用柵２内部を左右二室に仕切る可動式仕切板、１３は固定蓋１１及び可動仕切板１２に設けられ、該可動式仕切板１２を左右方向に可動としてペット用柵２内の左右各室の広さを可変とする仕切板可変機構である。
以下この発明の第二の特徴となる可動式仕切板１２と該可動式仕切板１２を可動とする仕切板可変機構１３の詳細を図６〜図１１を用いて説明する。１３ａは柵２ａ前面及び後面の上部内側に設けられてそれぞれ左右水平に延在した一対のガイド枠で、断面コ字型で該コ字の開口方向が向き合っている。１３ｂは可動仕切板１２の上部前後端にそれぞれ外側に向かって設けられた第一シューで、前記ガイド枠１３ａのコ字にそれぞれ嵌合摺動する。１３ｃは固定蓋１１の前後部にそれぞれ左右方向に長く設けられた一対の長穴、１３ｄは一対の長穴１３ｃを貫通し、下端に一対の第一シュー１３ｂ及び可動仕切板１２が設けられた一対の取手支柱、１３ｅは一対の取手支柱１３ｄの上端をそれぞれ水平に結ぶ取手パイプである。取手パイプ１３ｅは固定蓋１１の上方に位置し使用者が握り易い位置に設けられる。
これにより、使用者が取手パイプ１３ｅを持って左右に移動させると一対の取手支柱１３ｄが一対の長穴１３ｃを左右に移動し、また一対の第一シュー１３ｂが一対のガイド枠１３ａ内を摺動して可動仕切板１２を左右に動かす。
【００１８】
以下、可動仕切板１２を常時において固定し、また要事において固定を解除する機構について説明する。
一対の取手支柱１３ｄは中空部材とされ、それぞれの固定蓋１１の上部に上下に長いガイド長穴１３ｆが一対設けられている。１３ｇは一対のガイド長穴１３ｆに嵌合摺動する一対の第二シュー、１３ｈは一対の取手支柱１３ｄの内部に設けられたばねで、一対の第二シュー１３ｇと接して常時下方に付勢している。１３ｉは一対の第二シュー１３ｇの取手支柱外側に設けられた位置固定用カムで、下端が固定蓋１１上面に接する。１３ｊは固定蓋１１上面に設けられ、前記一対の位置固定用カム１３ｉが接するギザギザ部、１３ｋは一対の位置固定用カム１３iの上端を水平に結ぶ固定解除パイプで、取手パイプ１３ｅの下方に近接して並行する。
これらの構成により常時においてばね１３ｈにより下方に付勢された一対の位置固定用カム下端がギザギザ部５ｊに押付けられていることにより、可動式仕切板１２は固定されている。また使用者が取手パイプ１３ｅと固定解除パイプ１３ｋを同時に握り、該固定解除パイプ１３ｋが持ち上げられると、該位置固定用カム１３ｉも持ち上げられて下端がギザギザ部１３ｊから離れ、可動仕切板１２は左右に可動となる。
これにより、使用者は片手で可動式仕切板１２の固定を解除し同時に左右に移動させて各室の広さを変えることができ、また手を離せば該可動式仕切板１２は固定される。
【００１９】
１４は柵２ａ後面に設けられ、ペットを入れるとセンサー（図示せず）により起動する換気ファンで、臭いをかご壁背面に設けたスリット（図示せず）から昇降路へ排出する機構を備える。
【００２０】
上述のように構成されたエレベータの乗りかご装置によれば、ペット用柵２にペダル装置８のペダル８ｂを踏むだけでワイヤー１０によりロック装置７の閉ロックが外れ可動蓋３がばね８ｃの力で開く機構を設けたことにより、ペットを入れるため屈んで蓋の開閉をする必要がなくなり、またペットを抱えたまま足の操作により可動蓋３を開けた後、ペットをペット用柵２に入れることができる。
また可動蓋３に網３ａを設けたことにより、ペットと飼い主の目視が遮断されることがなくなり、ペットが不安で飼い主が心配する問題がなくなる。
また可動仕切板１２を設けたことにより、ペットの大きさによって容易に各室の広さを変化させるることができる。またこれによりペット用柵２に同時に入れられた他のペットと喧嘩する問題がなくなる。
また換気ファン１４を設けたことにより、ペットの臭いがペット用柵２内に篭ることを防ぐとこができる。
【００２１】
ところで、本実施の形態１ではペット用柵２は左右２室としたが、３室以上の複数を設けてもよいことは言うまでもない。また各室の間に仕切板可変機構を設けて広さを可変とできることも言うまでもない。
【図面の簡単な説明】
【００２２】
【図１】この発明の実施の形態1におけるエレベータの乗りかご装置を示す斜視図である。
【図２】実施の形態１におけるエレベータの乗りかご装置に設けられたペット用柵を示す斜視図である。
【図３】実施の形態１におけるペット用柵を示す縦断面図である。
【図４】実施の形態１におけるペット用柵の可動蓋のロック機構を示す要部断面図である。
【図５】実施の形態１におけるペット用柵のペダル装置を示す要部断面図である。
【図６】実施の形態１におけるペット用柵の仕切板可動機構を示す斜視図である。
【図７】図６の縦断面図である。
【図８】実施の形態１におけるペット用柵の仕切板可動機構の取手支柱を示す側面図である。
【図９】実施の形態１におけるペット用柵の仕切板可動機構の位置固定用カム周辺を示す斜視図である。
【図１０】実施の形態１におけるペット用柵の仕切板可動機構のガイド枠及びシューの係合状態を斜視図である。
【図１１】実施の形態１におけるペット用柵の仕切板可動機構の要部を示す側面図である。
【符号の説明】
【００２３】
１  かご、
１ａ  かご床、
２  ペット用柵、
２ａ  柵、
３  可動蓋、
４  ヒンジ、
５  ばね、
６  ゴムストッパ、
７  ロック機構、
７ａ  キー、
７ｂ  ロックレバー、
７ｃ  ピン、
７ｄ  戻しばね、
７ｅ  トリガー、
８  ぺダル装置、
８ａ  ピン、
８ｂ  ペダル、
８ｃ  ばね、
８ｄ  ゴムストッパ、
８ｅ  貫通孔、
９  チューブ、
９ａ、９ｂ  チューブ抑え、
１０  ワイヤー、
１１  固定蓋、
１２  可動式仕切板、
１３  仕切板可変機構、
１３ａ  ガイド枠、
１３ｂ、１３ｇ  シュー、
１３ｃ  長穴、
１３ｄ  取手支柱、
１３ｅ  取手パイプ、
１３ｆ  ガイド長穴、
１３ｈ  ばね、
１３ｉ  位置固定用カム、
１３ｊ  ギザギザ部、
１３ｋ  固定解除パイプ、
１４  換気ファン。
【図１】
2007276913.tif 000003
【図２】
2007276913.tif 000004
【図３】
2007276913.tif 000005
【図４】
2007276913.tif 000006
【図５】
2007276913.tif 000007
【図６】
2007276913.tif 000008
【図７】
2007276913.tif 000009
【図８】
2007276913.tif 000010
【図９】
2007276913.tif 000011
【図１０】
2007276913.tif 000012
【図１１】
2007276913.tif 000013